(57)【特許請求の範囲】
【請求項１】
一面にチョーク粉が通過しチョーク粉を拭きとる材質の拭き取り部を有するチョーク粉貯留室と、前記チョーク粉貯留室の黒板に接する面以外に連通し手動によって動作する空気吸引作動室とを備え、前記空気吸引作動室は、弁を備え、黒板に押し付けることで、前記空気吸引作動室の容積が減少して前記弁から排気し、黒板に押し付ける力が無い状態では、前記弁から吸気することなく、前記チョーク粉貯留室から吸気し、前記チョーク粉貯留室と前記空気吸引作動室の間の上板には連通路が設けられ、前記連通路には、空気は通過するが、チョーク粉は通過しないフィルターが設けられており、前記上板の上側に設けられた逆止弁には前記逆止弁に連動して動き前記フィルターを叩く叩き棒が備えられている黒板拭き。
【発明の詳細な説明】
【技術分野】
【０００１】
本発明は、拭き取ったチョーク粉の分離が容易な黒板拭きに関する。
【背景技術】
【０００２】
従来、黒板にチョークで書かれた文字や図形等を黒板拭きで消す場合には、チョークを拭き取った量によっても異なるが、黒板拭きが汚れると、黒板拭きの拭き取る能力は低下する。そして、汚れた黒板拭きで、黒板のチョークで書かれた文字等を消そうとすると、消すことは出来ないばかりではなく、却って黒板を汚す結果となるものであった。このため、黒板拭きの拭き取り能力を回復させるために、多くの場合は黒板拭きを棒等で叩いて黒板拭きの拭き取り能力を回復させることが行われていた。
【０００３】
この棒等で黒板拭きを叩いて拭き取り能力を回復する行為は、叩くことによって黒板拭きが拭き取って黒板拭きの表面や内部に付着しているチョーク粉を黒板拭きから取り出す作業である。このため、チョーク粉の付着した黒板拭きを叩くことは、チョーク粉を周囲に拡散させる作業であり、室内で行えば、室内をチョーク粉で汚すことになり、一般的には、窓を開けて外部に向かって黒板拭きを叩く必要があった。しかしながら、窓を開けて黒板拭きを叩く作業は、冬等の寒い時期には寒さに耐えて行う作業となり、風が強い場合や風向きによっては、チョーク粉が吹き飛ばされて、黒板拭きを叩く作業者の体がチョーク粉で汚れてしまうという問題があった。
【０００４】
このため、黒板拭きを叩くことなく拭き取り能力を回復するものとして、電動式で電動機の回転によりチョーク粉を吸い取ることができる器具を、外部に別に設けるものや、黒板拭きの内部に設けることや、黒板拭きとホースを接続する等の器具が提案されていた。ところが、電動機を使用する場合には、電池や家庭用電源の供給が必要であり、重さの面や価格の面で使用し難いものであった。これを解決するものとして、電源を使用しない特許文献１のような黒板拭きが提案されていた。
【先行技術文献】
【特許文献】
【０００５】
【特許文献１】特開２００２−２１９０号公報
【発明の概要】
【発明が解決しようとする課題】
【０００６】
しかしながら、特許文献１の吸引式黒板拭きは、スポンジを圧縮して膨張させるときに吸引力を生じさせて、スポンジ内にチョークの粉を吸入する装置となっている。このため、スポンジの多数の微細な穴の中にチョーク粉を貯留させるものであり、スポンジの多数の微細な穴にチョーク粉が貯留した状態、所謂目詰まりを起こせば、吸引式黒板拭きの吸引能力は低下するという問題があった。そして、スポンジの多数の微細な穴に貯留したチョーク粉を除かないと吸引能力を回復することはできないので、スポンジを吸引式黒板拭きの内部から取り出して従来の黒板拭きと同様の叩くことを行うか、水等で洗浄するか、吸引能力が回復しない場合にはスポンジを交換する必要があった。
【課題を解決するための手段】
【０００７】
上記の課題を解決するため、本発明では、次の技術的手段を講じている。
【０００８】
第１発明の黒板拭きは、一面にチョーク粉が通過しチョーク粉を拭きとる材質の拭き取り部を有するチョーク粉貯留室と、前記チョーク粉貯留室の黒板に接する面以外に連通し手動によって動作する空気吸引作動室とを備え、前記空気吸引作動室は、弁を備え、黒板に押し付けることで、前記空気吸引作動室の容積が減少して前記弁から排気し、黒板に押し付ける力が無い状態では、前記弁から吸気することなく、前記チョーク粉貯留室から吸気し、前記チョーク粉貯留室と前記空気吸引作動室の間の上板には連通路が設けられ、前記連通路には、空気は通過するが、チョーク粉は通過しないフィルターが設けられており、前記上板の上側に設けられた逆止弁には前記逆止弁に連動して動き前記フィルターを叩く叩き棒が備えられている。
【発明の効果】
【０００９】
以上のような、技術的手段を有することにより、以下の効果を有する。
第１発明によれば、一面にチョーク粉が通過しチョーク粉を拭きとる材質の拭き取り部を有するチョーク粉貯留室と、前記チョーク粉貯留室の黒板に接する面以外に連通し手動によって動作する空気吸引作動室と、を備えていることで、スポンジのような目詰まりしやすいものは使わず、チョーク粉を貯留するチョーク粉貯留室を別に設け、空気吸引作動室も別にしている。
【００１０】
これにより本発明の黒板拭きは、チョーク粉による目詰まりのない、またチョーク粉を容易に取り出せるものとなっている。
【００１１】
前記空気吸引作動室については、弁を備え、黒板に押し付けることで、前記空気吸引作動室の容積が減少して前記弁から排気し、黒板に押し付ける力が無い状態では、前記弁から吸気することなく、前記チョーク粉貯留室から吸気することで、黒板拭きを黒板に押しつける動作を利用して前記空気吸引作動室の排気動作を行うことができ、黒板拭きを黒板に押しつけることを止めると前記チョーク粉貯留室を吸気する動作が行われるので、黒板拭きで黒板を拭く動作の中で、前記チョーク粉貯留室にチョーク粉を貯留することができる。このため、電力等の外部の力を用いることがないので、安価かつ構造を簡単にすることができる。
【００１２】
前記チョーク粉貯留室と前記空気吸引作動室の間の連通路には、空気は通過するが、チョーク粉は通過しないフィルターが設けられていることで、前記チョーク粉貯留室に貯留したチョーク粉が前記空気吸引作動室に移動することはなく、前記チョーク粉貯留室で効率的にチョーク粉を回収することができ、同時に前記空気吸引作動室の内部がチョーク粉で汚れることや前記空気吸引作動室からチョーク粉が排気時に外部に漏れ出すこともない。
【００１３】
さらに、叩き棒が設けられていることで、黒板拭きが黒板を拭くまたは止めることに連動して、前記弁が開閉動作を繰り返し、前記弁が動くことで、叩き棒がフィルターを叩く動作を繰り返すことになる。これにより、フィルターに吸い寄せられて付着しているチョーク粉がチョーク粉貯留室に叩き落とされて、フィルターのチョーク粉による目詰まりを防ぐことができる。
【図面の簡単な説明】
【００１４】
【図１】本発明に係る黒板拭きの外観図である。
【図２】本発明に係るカバーを除いた黒板拭きのＡ−Ａ断面図である。
【図３】本発明に係る上板を除いたチョーク粉貯留室の説明図である。
【図４】本発明に係るチョーク粉貯蓄室の拭き取り部のＢ―Ｂ断面図である。
【図５】本発明に逆止弁を除いた上板の説明図である。
【図６】本発明に係るカバーを除いた黒板拭きのＡ−Ａ断面図で、排気状態を示している。
【図７】本発明に係る他の実施例で、黒板拭きに握り用カバーを付けた場合の横方向に切断した説明図である。
【図８】本発明に係る他の実施例で、空気吸引作動室をピストン方式にした場合の説明図である。
【図９】本発明に係る実施例で、上板の逆止弁に叩き棒を設けている部分についての説明図である。
【発明を実施するための形態】
【００１５】
発明を実施する形態について、図面に基づいて具体的に説明する。
【実施例１】
【００１６】
図１は、本発明の黒板拭き１００で、下からチョーク粉貯留室１、空気吸引作動室２、カバー３で構成されている。カバー３には空気吸引作動室２からの排気を逃がす換気口４が設けられている。図示されてないが、チョーク粉貯留室１の下部外面は布製の拭き取り部７になっている。黒板拭き１００を使用する場合は、黒板拭き１００が縦になるように持ち、黒板の表面に拭き取り部７を接触させて黒板拭き１００を左右に動かし黒板の表面にあるチョーク粉を拭き取る。
【００１７】
図２は本発明の黒板拭き１００のＡ−Ａ断面図である。（カバーを除いた）黒板拭き１００の内部はチョーク粉貯留室１と空気吸引作動室２の二つの空間（部屋）に分割されている。チョーク粉貯留室１は、断面「コ」の字形状の側板１ａとチョーク粉取り出し蓋５、取っ手６、吸気口８が設けられた後述する拭き取り部７を構成する硬質材７ｃの上面と上部吸気口１０が設けられた上板９の下側の面で構成されている。なお、チョーク粉貯留室１の下部外面は（後述する）拭き取り部７となっている。チョーク粉貯留室１は、拭き取り部７に設けられた吸気口８及び上板９に設けられた上部吸気口１０が塞がれた状態では、密閉空間に近い状態になるように構成されている。
【００１８】
空気吸引作動室２は、上板９の上側の面と、四角の筒状の蛇腹１１と天板１１ａとで構成されている。上板９には複数の上部吸気口１０が開けられており、複数の上部吸気口１０の上面側には全ての上部吸気口１０に対して逆止弁１２が設けられている。天板１１ａには複数の排気口１３が開けられており、複数の排気口１３の上面側には全ての排気口１３に対して逆止弁１２が設けられている。空気吸引作動室２は側面に設けた蛇腹１１が伸び縮みして天板１１ａが上下に動くことで、空気吸引作動室２内部の容積を変化させることができる。
【００１９】
また、空気吸引作動室２は上板９に設けられた上部吸気口１０及び天板１１ａに設けられた排気口１３が塞がれると、密閉空間に近い状態になるように構成されている。そして、上部吸気口１０及び排気口１３の全てには逆止弁１２が取り付けられており、上部吸気口１０と排気口１３を出来るだけ洩れの少ない状態で塞ぐことができるように構成されている。
【００２０】
図３に示すのは黒板拭き１００のチョーク粉貯留室１の上板９を除いた状態の説明図である。黒板拭き１００を縦方向で左右に動かすので、チョーク粉は拭き取り部７の裏面の左右に多く拭き取られることになる。
【００２１】
図４を用いて、拭き取り部７について説明する。図４は図３のＢ―Ｂ断面図である。拭き取り部７は下面側から拭き取り布７ａ、目の荒いフィルターＡ１６、軟質材７ｂ及び硬質材７ｃで構成されている。軟質材７ｂ及び硬質材７ｃには連通して穿たれた多数の吸気口８が配置されている。軟質材７ｂは、ゴムやウレタン等の軟質の素材で、黒板拭き１００を黒板に押し付けた場合に変形して、黒板拭き１００が黒板を拭きとり易くしている。軟質材７ｂは内部に空間はあっても独立発泡や表面に被膜を有していることで、内部にチョーク粉は入らない構造となっている。硬質材７ｃは、木材、合成樹脂、金属等の黒板拭き１００を黒板に押し付けた場合に変形し難い強度を持った材質で形成されている。
【００２２】
拭き取り布７ａで黒板のチョーク粉が拭き取られると、拭き取り布７ａにチョーク粉は付着する。  （目の荒いフィルターＡ１６、）拭き取り布７ａと目の荒いフィルターＡ１６は、チョーク粉が通過する材質で形成されており、後述するチョーク粉貯留室１の上部には、空気吸引作動室２があり、黒板拭き１００を持って拭き取り動作をする手を緩めると、空気吸引作動室２の作用により、拭き取り布７ａから目の荒いフィルターＡ１６と吸気口８を通過する空気の流れが生じる。そして拭き取り布７ａに付着しているチョーク粉がチョーク粉貯留室１内に吸引されてくる。そして、チョーク粉貯留室１内に移動する。
【００２３】
チョーク粉貯留室１に溜まったチョーク粉は空気吸引作動室２により生じた空気の流れにより、空気吸引作動室２側に移動しようとする。しかしながら、チョーク粉貯留室１と空気吸引作動室２の間には前述のように上板９が設けられている。この上板９について図５を用いて説明する。
【００２４】
図５は上板９の説明図であり、上側の逆止弁１２は取り除いた状態の図である。上板９には、上部の空気吸引作動室２にはチョーク粉が入り込まないように、上板９には開けられた上部吸気口１０の全てには上部吸気口１０に対応する目の細かなフィルターＢ１７が設けられている。このフィルターＢ１７でチョーク粉はチョーク粉貯留室１の内部に留まる（とどまる）ことになる。このようにしてチョーク粉貯留室１にチョーク粉が溜まってくることになる。
【００２５】
そして一定量チョーク粉が溜まったら、図２及び図３で示した取っ手６を引いてチョーク粉取り出し蓋７を開けることで、溜まったチョーク粉を外部に排出することができる。なお、チョーク粉貯留室１の側板１ａよりも下側の部分は上板９とスライドして取り付けるように構成されているので、側板１ａよりも下側の部分はスライドして取り外すことができる。側板１ａよりも下側の部分が取り外せることで、チョーク粉を排出することが出来ると共に、チョーク粉貯留室１の内部を清掃することも出来るし、フィルターＢ１７の掃除もできる。
【００２６】
フィルターＡ１６とフィルターＢ１７の目の粗さ（フィルターを通過できる粒の大きさ）については、チョーク粉の粒度（粒の大きさ）により適切なものを選択する。チョーク粉について説明する。チョークの原料は炭酸カルシウムや硫酸カルシウムであり、石灰岩、石膏や貝殻の天然材料や精製したものを粉末にして水で練って乾燥させて成形するのが一般的であるとされている。
【００２７】
しかしながら、製造業者も多数存在しており、原材料のみならず、粉末にする際の原材料の粒度等に関する製造方法も様々である。さらには、黒板に付着したチョーク粉の粒度は、チョークを付着させた人の筆圧により変化することも考えられることや、湿度の変化によってもチョークが黒板へ付着する状況も変化するため、チョーク粉の粒度を明確に規定することは難しいものとなる。
【００２８】
一般的にはチョーク粉の粒度は５ミクロン程度と考えれば良いとされている。よって、フィルターＢ１７については、安全率を考慮してほとんどのチョーク粉が通過しないと考えられる２〜３ミクロン以下の目の粗さを選択すればよいと考えられる。また、フィルターＡ１６の目の粗さについては、チョーク粉が通過することが必要であるので、安全率を考慮して１０ミクロン以上の目の粗さを選択する必要がある。
【００２９】
また、拭き取り部７の拭き取り布７ａとフィルターＡ１６の関係については、拭き取り布７ａの目の粗さがフィルターＡ１６の目の粗さよりも細かい目の粗さとなる（フィルターＡ１６の目の粗さの方が拭き取り布７ａの目の粗さよりも粗い目の粗さとなる）場合については、拭き取り布７ａの吸気口８に対応する箇所に孔を開けてチョーク粉が、チョーク粉貯留室１に入るように拭き取り布７ａを形成させる。なお、フィルターＡ１６が布や不織布等であり、チョーク粉を拭き取ることに適した材質である場合には、フィルターＡ１６に拭き取り布７ａを兼ねさせて拭き取り布７ａを省略しても良い。
【００３０】
空気吸引作動室２における空気の流れについて、図２、６によって説明する。
図６は、黒板拭き１００を手に持って、黒板に書かれたチョークを拭き取っている状態、言い換えるならば、黒板に黒板拭き１００を押しつけた状態を示している。なお、図６も図１のＡ−Ａ断面図であり、説明の簡略化のためカバー３を除いた状態で図示している。
【００３１】
黒板に黒板拭き１００を押しつけると、空気吸引作動室２は下向きに押し付けられることになり、内部の空気は上板９の上側の逆止弁１２の作用で、上部吸気口１０の方に逆流することはなく、排気口１３の側の逆止弁１２を押し開いて排気口１３から空気吸引作動室２の外部へ出る。なお、図６には図示してないが、図１の様に黒板拭き１００にはカバー３に設けられており、換気口４から黒板拭き１００の外部に排出される。そして蛇腹１１が縮むことで、空気吸引作動室２の容積は少なくなった状態になっている。
【００３２】
図２で示す状態は、黒板に黒板拭き１００を押し付ける力を緩めた状態を示している。この場合に蛇腹１１の復元力で空気吸引作動室２が膨張する方向に動き、空気吸引作動室２の内部に空気を吸引する。空気吸引作動室２が外部から空気を吸引する場合には、排気口１３側の逆止弁１２は閉じる方向に働き、上部吸気口１０側の逆止弁１２は開く方向に働く。そのため空気吸引作動室２はチョーク粉貯留室１から空気を吸い込むことになる。
【００３３】
チョーク粉貯留室１の空気が吸い込まれると、チョーク粉貯留室１は負圧になり、拭き取り部７の吸気口８から空気を吸い込むことになる。吸気口８から空気が吸い込まれると、拭き取り部７に付着しているチョーク粉がチョーク粉貯留室１に移動する。このようにして、黒板拭き１００の表面である拭き取り部７がクリーニングされることになる。
【００３４】
以上のように、黒板拭き１００を用いて黒板を拭いたり、拭く動作を止めたりすると言う動作をする中で、自動的に黒板拭き１００のクリーニング操作を行うことが可能となる。このような黒板拭き１００を用いて黒板を拭くと言う一連の自然な動作を行うことに併せて、黒板拭き１００は、手動（電力などの外部の力を用いることなく。）でありながら、自動的にクリーニングが行える仕組みとなっている。
【実施例２】
【００３５】
図７は、本発明の他の実施例である黒板拭き１０１の横方向で切断した説明図である。実施例２は、実施例１の黒板拭き１００に蛇腹１１の周囲を覆い、カバー３に握り用カバー１４を取り付けた場合の実施例である。その他の部品については同一の部品を使用しており、同じ符号を付けて説明を省略する。握り用カバー１４で蛇腹１１の周囲が覆われていることにより、黒板拭き１０１で黒板を拭く動作を行う場合に蛇腹１１の動きを手で阻害することはないので、黒板拭き１０１の使用がより楽に行えることになると同時に、空気吸引作動室の動きがスムースで、黒板拭きのクリーニングが効率よく行える。
【実施例３】
【００３６】
図８は、本発明の他の実施例である黒板拭き１０２の縦及び横方向で切断した説明図である。実施例３は、実施例２の黒板拭き１０１の空気吸引作動室２を空気吸引作動室３２に変えた場合の説明図である。空気吸引作動室３２は蛇腹１１を用いず、天板４１ａがピストンになり、側板４１の内部を密接に移動することで空気吸引作動室３２の容積が変化する。また、空気吸引作動室３２内部にはピストンに復元力を持たせるためにバネ４８が設けられている。また、握り用カバー１４は天板４１ａのピストン棒を兼ねており、握り用カバー１４を介して天板４１ａを押すことができる。その他の部品については同一の部品を使用しており、同じ符号を付けて説明を省略する。
【００３７】
実施例１乃至実施例３については逆止弁１２に叩き棒１５が設けられている。そして、逆止弁１２、叩き棒１５およびフィルターＢ１７に関しての構造について図９を用いて説明する。図９は、上板９に設けられた逆止弁１２に関して拡大した説明図である。逆止弁１２には、連動して動く叩き棒１５が設けられている。逆止弁１２が上板９を塞いだ状態の時に、叩き棒１５の逆止弁１２に取り付けられた側の逆の端１５ａが、フィルターＢ１７を破損することなく接触するように調整して設けられている。
【００３８】
叩き棒１５が設けられていることで、黒板拭き１００乃至１０２が黒板を拭くまたは止めることに連動して、逆止弁１２が開閉動作を繰り返し、逆止弁１２が動くことで、叩き棒１５がフィルターＢ１７を叩く動作を繰り返すことになる。これにより、フィルターＢ１７に吸い寄せられて付着しているチョーク粉がチョーク粉貯留室１に叩き落とされて、フィルターＢ１７のチョーク粉による目詰まりを防ぐことができる。
【００３９】
以上、本発明について、実施例に基づき説明してきたが、本発明は何らこれらの実施例の構成に限定するものではない。例えば、黒板拭き１００乃至１０２は直方体で図示して説明されているが、握り易さが担保できれば、円筒形や三角柱等の他の形状のものでも良い。また、換気口４、吸気口８、上部吸気口１０、排気口１３の個数や取り付け位置に関しては、機能や構造体の強度に併せて適切なものを選択すれば良い。
【符号の説明】
【００４０】
１：チョーク粉貯留室
１ａ、４１：側板
２、３２：空気吸引作動室 
３：カバー
４：換気口
５：チョーク粉取り出し蓋
６：取っ手
７：拭き取り部
７ａ：拭き取り布
７ｂ：軟質材
７ｃ：硬質材
８：吸気口
９：上板
１０：上部吸気口 
１１：蛇腹
１１ａ、４１ａ：天板
１２：逆止弁
１３：排気口
１４：握り用カバー
１５：叩き棒
１５ａ：端
１６：フィルターＡ
１７：フィルターＢ
４８：バネ
１００、１０１、１０２：黒板拭き
【要約】 
【課題】
従来の黒板拭きでは、スポンジを圧縮して膨張させるときに吸引力を生じさせて、スポンジ内にチョークの粉を吸入する装置となっている。このため、スポンジの多数の微細な穴の中にチョーク粉を貯留させるものであり、スポンジの多数の微細な穴にチョーク粉で目詰まりを起こせば、吸引式黒板拭きの吸引能力は低下するという問題があった。
【解決手段】
黒板拭き１００は、一面にチョーク粉通過しチョーク粉を拭きとる材質の拭き取り部７を有するチョーク粉貯留室１と、チョーク粉貯留室１の黒板に接する面以外に連通し手動により動作する空気吸引作動室２と、チョーク粉貯留室１と空気吸引作動室２との間に設けたフィルター１７及び弁１２と、弁に連動する叩き棒１５と、を備えている。
【選択図】図９【図１】
0005506005.tif 000002
【図２】
0005506005.tif 000003
【図３】
0005506005.tif 000004
【図４】
0005506005.tif 000005
【図５】
0005506005.tif 000006
【図６】
0005506005.tif 000007
【図７】
0005506005.tif 000008
【図８】
0005506005.tif 000009
【図９】
0005506005.tif 000010